(57)【要約】【課題】  蔓植物の吊下ろし栽培の誘引紐を巻き付けて吊下げ軸体に簡単に着脱でき、吊り下げ軸体の回転操作で植物を吊り下ろす作業の準備，撤収作業を効率化する。【解決手段】  誘引紐吊り下げ装置６は、吊り下げ軸体４に固定される駆動歯車部材９と、吊り下げ軸体４に掛け留められるフック部材１０と、フック部材１０に回転自在に軸支されるボビン部材１３とを具備する。駆動歯車部材９は、吊り下げ軸体４を抱持する軸筒部１１の両端にフランジ状の一対の歯車部１２を有する。フック部材１０は、駆動歯車部材９の歯車部１２の両側で吊り下げ軸体４に掛け止める一対のフック部１０ａから下方へ一対のアーム部１０ｃを延出させ、下端に軸受部１０ｄを設ける。ボビン部材１３は、外周に誘引紐７の基端側が係止されて巻き付けられる軸筒部１４の両端にフランジ状の一対の歯車部１５を有し、その中心部から外側に軸部１６が突出して軸受部１０ｄに軸支される。【選択図】  図２
2019208426.tif 000002
【特許請求の範囲】
【請求項１】
蔓植物を並べて栽培する栽培床の上方に当該植物の並び方向に沿ってほぼ水平にかつ軸周り回転自在に支持される吊り下げ軸体と、この吊り下げ軸体に軸方向に相互間隔をおいてそれぞれ下方へ垂下するように基端側が吊られ先端側が前記蔓植物の茎に係止される複数の誘引紐とを具備し、当該誘引紐は基端側において前記吊り下げ軸体側に多重に巻き付けられて係止され、前記蔓植物の成長にしたがい、前記吊り下げ軸体を回転させて、前記誘引紐を下方へ繰り出すことにより、順次前記蔓植物の茎を降下させる吊り下ろし栽培装置に用いられる誘引紐吊り下げ装置であって、
前記吊り下げ軸体に固定され、当該吊り下げ軸体と同心の歯車部を有する駆動歯車部材と、
前記吊り下げ軸体に着脱自在のフック部材と、
前記フック部材に回転自在に支持され、前記誘引紐の基端側が巻き付けられるボビン部材と、を具備し、
前記ボビン部材は、歯車部と誘引紐巻き付け部とを有し、当該歯車部が前記駆動歯車部材の歯車部に噛み合って受動回転するように前記フック部材に回転自在に支持され、
前記吊り下げ軸体の回転を前記駆動歯車部材を介して前記ボビン部材に伝えることにより、下方において前記蔓植物の茎に係止された前記誘引紐を下方へ繰り出すように構成されることを特徴とする誘引紐吊り下げ装置。
【請求項２】
前記駆動歯車部材は、前記吊り下げ軸体を抱持する軸筒部と、当該軸筒部の両端に形成される一対のフランジ状の前記歯車部とを具備し、
前記ボビン部材は、外周に前記誘引紐の基端側が巻き付けられる軸筒部と、当該軸筒部の両端に形成される一対のフランジ状の前記歯車部とを具備し、
前記フック部材は、前記駆動歯車部材の一対の歯車部の外側において前記吊り下げ軸体に掛け止められる一対のフック部と、前記駆動歯車部材を跨いで前記フック部に連続する架橋部と、前記フック部から下方へ延出する一対のアーム部と、当該アーム部の下端に設けられる軸受部とを具備し、
前記ボビン部材は、前記フック部材の軸受部に軸支されることを特徴とする請求項1に記載の誘引紐吊り下げ装置。
【請求項３】
前記駆動歯車部材は、前記吊り下げ軸体を抱持する軸筒部と、当該軸筒部の両端に形成される一対のフランジ状の前記歯車部とを具備し、
前記ボビン部材は、一対設けられ、それぞれ外周に前記誘引紐の基端側が巻き付けられる軸筒部と、当該軸筒部の両端に形成される一対のフランジ状の前記歯車部とを具備し、
前記フック部材は、前記駆動歯車部材の一対の歯車部の外側において前記吊り下げ軸体に掛け止められる一対の支持金具からなり、
前記支持金具は、前記吊り下げ軸体に掛け止められる中央のフック部と、当該フック部の両端から延出する一対アーム部と、当該アーム部の端部に設けられる軸受部とを具備し、
前記一対のボビン部材は、各々前記フック部材の軸受部に軸支されることを特徴とする請求項1に記載の誘引紐吊り下げ装置。
【請求項４】
前記駆動歯車部材は、前記吊り下げ軸体を把持する一対の分割体からなることを特徴とする請求項１ないし３のいずれかに記載の誘引紐吊り下げ装置。
【発明の詳細な説明】
【技術分野】
【０００１】
この発明は、トマトやキュウリなどの蔓植物の茎を誘引紐に係留して上方へ誘引しながら農作物を成長させる吊り下ろし栽培において、成長に応じて野菜や果実を低所位置に吊り下ろして収穫するために、上方の吊り下げ軸体に巻き付けた誘引紐を順次繰り出す誘引紐の吊り下げ装置に関する。
【背景技術】
【０００２】
例えばトマトの成長に合わせて茎を誘引することで、高伸長化をもたらし、トマトの周年生産、多収化を可能にした吊下ろし栽培に適した吊下ろし栽培装置が特許文献１に記載されている。この吊下ろし栽培装置は、温室内のトマトの栽培床の上方に栽培床に沿って吊下げ軸体を水平に架設し、吊下げ軸体の外周面に、その長さ方向へ所定ピッチで左右交互に多数の誘引紐を巻き付け、吊下げ軸体の両側方に平行に張った左右一対のガイドワイヤに誘引紐を引っ掛けて垂れ下げ、トマトの茎が斜め上方へ延びるように茎を各誘引紐にクリップにより係留する。
高所に実ったトマトは、吊下げ軸体を回転させて誘引紐を所定長さだけ下方へ繰り出すことにより、低所位置に下ろし、脚立などを使用することなく収穫できる。収穫を終えた下部の茎は誘引紐から外して横へ這わせ、生長する頭頂部を隣接する誘引紐の上方に係止し、順次横方向ずらしながら上方へ生長させ、実をつけさせることを繰り返していく。
【先行技術文献】
【特許文献】
【０００３】
【特許文献１】特許第4874430号公報
【発明の概要】
【発明が解決しようとする課題】
【０００４】
上記吊下ろし栽培装置にあっては、吊下げ軸体に予め多数の誘引紐を直接巻き付けなければならないので、準備作業に手間暇を要し、作業負担が大きい。必要に応じて、吊下げ軸体から誘引紐を取り外す場合にも同様である。
そこで、本発明は、蔓植物の吊下ろし栽培の誘引紐を巻き付けて吊下げ軸体に簡単に着脱でき、吊り下げ軸体の回転操作で植物を吊り下ろす作業の準備，撤収作業の効率化を図ることができる誘引紐の吊り下げ装置を提供することを目的としている。
【課題を解決するための手段】
【０００５】
上記課題を解決するための、本発明の誘引紐吊り下げ装置は、蔓植物の吊り下ろし栽培装置に用いられる誘引紐吊り下げ装置であって、吊り下ろし栽培装置の吊り下げ軸体に固定され、これと同心の歯車部を有する駆動歯車部材と、吊り下げ軸体に着脱自在のフック部材と、このフック部材に回転自在に支持され、誘引紐の基端側が巻き付けられるボビン部材とを具備する。ボビン部材は、歯車部と誘引紐巻き付け部とを有し、歯車部が駆動歯車部材の歯車部に噛み合って受動回転するように、フック部材に回転自在に支持される。吊り下げ軸体を所定方向へ回転させ、ボビン部材に巻かれた誘引紐を下方へ繰り出す。
【発明の効果】
【０００６】
本発明によれば、予めボビン部材に誘引紐を巻き付けてフック部材に枢支したものを多数用意し、これを所定位置に駆動歯車を固定した吊下げ軸体にフック部材を引っ掛けて取り付け、歯車部を噛み合わせれば、容易に吊下げ軸体に装着でき、また取り外しもできる。長尺の吊下げ軸体への誘引紐の直接巻き付け作業は容易でないが、ボビン部材への巻き付け作業は、これよりもはるかに容易である。
【図面の簡単な説明】
【０００７】
【図１】吊下ろし栽培用吊り下ろし装置の斜視図である。
【図２】本発明に係る吊下ろし栽培用誘引紐吊り下げ装置の斜視図である。
【図３】図２の誘引紐吊り下げ装置の正面図である。
【図４】図２の誘引紐吊り下げ装置の側面図である。
【図５】駆動歯車の分解斜視図である。
【図６】誘引紐の繰り出し前後の状態を示す吊下ろし栽培装置の正面図である。
【図７】他の実施形態に係る吊下ろし栽培用誘引紐吊り下げ装置の正面図である。
【図８】図７に示す吊下ろし栽培用誘引紐吊り下げ装置の平面図である。
【発明を実施するための形態】
【０００８】
この発明の実施の形態を図面を参照して説明する。
図１において、温室内の地面に設けられた長尺矩形の栽培床Ｇには、トマト、キュウリのような蔓植物Ｐが長さ方向へ並べて栽培される。例えばトマトの場合、栽培床Ｇの上方に設置される吊下ろし栽培装置１の誘引紐７によって茎を吊り止められ、茎の長さが８〜１０ｍに到るまで果実を高さ方向に順次実らせていく。
【０００９】
吊下ろし栽培装置１は、例えば特許文献1に記載されるものと同様にして、栽培床Ｇを跨いで栽培床Ｇの長さ方向の両端に立設された略門形の支持枠２と、支持枠２に回転自在に支持された吊り下げ軸体４と、この吊り下げ軸体４に軸方向に相互間隔をおいてそれぞれ下方へ垂下するように基端側が吊られ先端側が前記蔓植物の茎に係止される複数の誘引紐７と、誘引紐７を基端側において多重に巻き付けて係止し、吊り下げ軸体４を回転させて誘引紐７を下方へ繰り出す誘引紐吊り下げ装置６とを具備する。吊り下げ軸体４は、一端側において手動ハンドル８により、ウォーム減速機３を介して回転させることができる。吊り下げ軸体４の左右両側方に、これと平行に一対のガイドワイヤ５が張られる。
【００１０】
誘引紐吊り下げ装置６は、吊り下げ軸体４に長さ方向へほぼ等間隔に取り付けられる。誘引紐吊り下げ装置６には、誘引紐７が巻き付けられ、その先端側がガイドワイヤ５を経て下方へ垂下する。図示しないが、ガイドワイヤ５を設置しない場合には、誘引紐７を直接下方へ垂下させる。
【００１１】
図２ないし図４に示すように、誘引紐吊り下げ装置６は、吊り下げ軸体４に固定される駆動歯車部材９と、吊り下げ軸体４に掛け留められるフック部材１０と、フック部材１０に回転自在に軸支されるボビン部材１３とを具備する。
駆動歯車部材９は、図５に示すように、互いに吊り下げ軸体４を挟んでねじ止めされる一対の分割体９ａ，９ｂからなり、両者間に吊り下げ軸体４を抱持する。駆動歯車部材９は、吊り下げ軸体４を抱持する軸筒部１１と、当該軸筒部１１の両端に形成される一対のフランジ状の歯車部１２とを具備する。
フック部材１０は、金属線材を屈曲形成して構成され、駆動歯車部材９の一対の歯車部１２の外側において吊り下げ軸体４に掛け止められるように湾曲した一対のフック部１０ａと、駆動歯車部材９を跨いでフック部１０ａの先端間に連続する架橋部１０ｂと、フック部１０ａから下方へ延出する一対のアーム部１０ｃと、アーム部１０ｃの下端に設けられる軸受部１０ｄとを具備する。
ボビン部材１３は、外周に誘引紐７の基端側が係止されて巻き付けられる軸筒部１４と、当該軸筒部１４の両端に形成される一対のフランジ状の歯車部１５と、当該歯車部１５の中心部から外側に突出する軸部１６とを具備する。軸部１６は、フック部材１０の軸受部１０ｄに軸支される。
【００１２】
予め所定長さの誘引紐７が巻かれたボビン部材１３とフック部材１０とが組み合わされた状態で、駆動歯車部材９を跨ぐようにフック部材１０を吊り下げ軸体４に掛け止めると、ボビン部材１３の歯車部１５が、駆動歯車部材９の歯車部１２に噛み合う。したがって、例えば、誘引紐７が下方において植物Ｐの茎に係止されて所定の荷重を支持している状態で、吊り下げ軸体４を一方向へ回転させると、駆動歯車部材９を介してボビン部材１３が回転することにより、誘引紐７が下方へ繰り出される。これにより、誘引紐７が吊り止めている植物Ｐの茎Ｐ１を下方へ降ろすことができる。なお、誘引紐７が植物Ｐによる荷重を支持していない場合には、重りを吊り下げるなどしておけば、同様に誘引紐７を下方へ繰り出すことができる。
【００１３】
図６（Ａ）に示すように、植物Ｐの茎Ｐ１を適宜位置で誘引紐７に誘引クリップＣなどで係止し、成長して上部に果実Ｐ２がついたら、ハンドル８で吊り下げ軸体４を回転させ誘引紐７を所定長さだけ繰り出すことによって、図６（Ｂ）に示すように、作業者の手元まで果実Ｐ２を吊り下ろす。作業者は脚立などを使用することなく、安全に果実Ｐ２を収穫することができる。収穫が終わったら、その付近を誘引紐７から外して地上に降ろし、必要に応じてそこから下の葉を落とし、生長枝を逐次誘引紐７の上方に係止して上方に生長させ、結実させる。これを繰り返すことにより複数回の収穫を得る。
【００１４】
他の実施形態を図７，図８に示す。この実施形態の誘引紐吊り下げ装置６においては、１つの駆動歯車部材９に対して左右２つのボビン部材１３を結合させてそれぞれのボビン部材１３から誘引紐７を垂下させる。駆動歯車部材９、ボビン部材１３は、先の実施形態を同一構造のものである。
フック部材２０は、金属線材を屈曲形成してなる同形一対の支持金具２０ａからなり、駆動歯車部材９の一対の歯車部１２の外側において吊り下げ軸体４に掛け止められる。各支持金具２０ａは、吊り下げ軸体４に掛け止められるように湾曲した中央のフック部２０ｂと、その両端から歯車部１２の外側面に沿って左右に延びる一対のアーム部２０ｃと、アーム部２０ｃの端部に設けられる軸受部２０ｄとを具備する。２つのボビン部材１３が、それぞれ軸部１６において、軸受部２０ｄに軸支される。
先の実施形態と同様にして、吊り下げ軸体４を一方向へ回転させると、駆動歯車部材９を介して両側のボビン部材１３が同時に回転することにより、誘引紐７が左右両側下方へ繰り出される。
【符号の説明】
【００１５】
１    吊下ろし栽培装置
２    支持枠
３    ウォーム減速機
４    吊り下げ軸体
５    ガイドワイヤ
６    誘引紐吊り下げ装置
７    誘引紐
８    手動ハンドル
９    駆動歯車部材
９ａ  分割体
９ｂ  分割体
１０    フック部材
１０ａ  フック部
１０ｂ  架橋部
１０ｃ  アーム部
１０ｄ  軸受け部
１１    軸筒部
１２    歯車部
１３    ボビン部材
１４    軸筒部
１５    歯車部
１６    軸部
２０    フック部材
２０ａ  支持金具
２０ｂ  フック部
２０ｃ  アーム部
２０ｄ  軸受け部
Ｇ    栽培床
Ｐ    植物
Ｐ１  茎
Ｐ２  トマト
【図１】
2019208426.tif 000003
【図２】
2019208426.tif 000004
【図３】
2019208426.tif 000005
【図４】
2019208426.tif 000006
【図５】
2019208426.tif 000007
【図６】
2019208426.tif 000008
【図７】
2019208426.tif 000009
【図８】
2019208426.tif 000010